(57)【特許請求の範囲】
【請求項１】
前面に開口部（１ａ）を有する枠体（１）内に、縦長のヒータ（２）と、該ヒータ（２）の前方を開口しながらヒータ（２）の側部と背部に位置する湾曲状の反射板（３）とを設け、
前記枠体（１）の下部にはベース（４）を備え、このベース（４）によって前記枠体（１）を床面から立たせて前記枠体（１）の前面開口部（１ａ）から前記ヒータ（２）の熱線を放射する電気ストーブにおいて、
前記枠体（１）内には前記反射板（３）の固定部材（５）を設け、その固定部材（５）は縦長の支持枠（５ａ）の上下に一対の回転軸部（６）を設けた構成とし、該支持枠（５ａ）は前記反射板（３）の背部に位置して前記反射板（３）の全体を保持すると共に、
前記回転軸部（６）が前記枠体（１）内の軸孔（７）に嵌合して、前記回転軸部（６）を中心に回動可能に取り付けられており、
前記固定部材（５）を介して前記枠体（１）内に取り付けられた前記反射板（３）が前記固定部材（５）と一緒に回動し、前記枠体（１）内の前記反射板（３）の開口の向く方向が可変することを特徴とする電気ストーブ。
【請求項２】
前面に開口部（１ａ）を有する枠体（１）内に、縦長のヒータ（２）と、該ヒータ（２）の前方を開口しながらヒータ（２）の側部と背部に位置する湾曲状の反射板（３）とを設け、
前記枠体（１）の下部にはベース（４）を備え、このベース（４）によって前記枠体（１）を床面から立たせて前記枠体（１）の前面開口部（１ａ）から前記ヒータ（２）の熱線を放射する電気ストーブにおいて、
前記枠体（１）内には前記ヒータ（２）と前記反射板（３）とを一体に固定する固定部材（５）を設け、その固定部材（５）は縦長の支持枠（５ａ）の上下に一対の回転軸部（６）を設けた構成とし、該支持枠（５ａ）は前記反射板（３）の背部に位置して前記反射板（３）の全体を保持すると共に、
前記回転軸部（６）が前記枠体（１）内の軸孔（７）に嵌合して、前記回転軸部（６）を中心に回動可能に取り付けられており、
前記固定部材（５）を介して前記枠体（１）内に取り付けられた前記ヒータ（２）と前記反射板（３）が前記固定部材（５）と一緒に回動し、前記枠体（１）内の前記ヒータ（２）と前記反射板（３）の開口の向く方向が可変することを特徴とする電気ストーブ。
【請求項３】
前記回転軸部（６）は前記ヒータ（２）から所定距離（Ｌ）を離した位置に設け、
前記ヒータ（２）が前記回転軸部（６）からの距離（Ｌ）を回転半径とする円周上を移動することを特徴とする請求項２に記載の電気ストーブ。
【請求項４】
前記固定部材（５）は、前記支持枠（５ａ）の両側部から前記反射板（３）の側端に届く遮熱板（５ｃ）を形成し、
前記固定部材（５）が前記反射板（３）の熱気を遮る遮熱部材として機能することを特徴とする請求項１から３のいずれか１項に記載の電気ストーブ。
【発明の詳細な説明】
【技術分野】
【０００１】
この発明は、ヒータの輻射熱によって暖房を行う電気ストーブの構造に関するものである。
【背景技術】
【０００２】
反射式の電気ストーブは、ベースの上部に枠体を設置し、枠体内に縦長のヒータを設け、そのヒータの背部と側部に位置して前方が開口する湾曲した反射板を備えており、ヒータに通電すると、ヒータから前方に放射される熱線と、反射板によって反射した熱線が枠体前面の開口部から前方に放射され、熱線の輻射熱によって暖房を行うものである。
【０００３】
また、ヒータの熱線を枠体前方の広範囲に放射するため、枠体下部とベース上部との間に回転軸を設けて枠体を回動可能に設置し、回転軸を駆動する駆動装置を設け、駆動装置によって枠体を左右に駆動する首振り機構を備えており、熱線が枠体前方の広範囲に放射できるようにしている（特許文献１参照）。
【特許文献１】特開昭６３−５７８９５号  公報
【発明の開示】
【発明が解決しようとする課題】
【０００４】
首振り機構を備えたときは、枠体を回転軸によって支える構造となるが、電気ストーブの枠体内にはヒータや反射板、電装部品などほとんどの部品が配置され、回転軸の上部に重量のある枠体が配置された構造となるため、枠体の上部がふらついて安定性の悪い構造となっている。
【０００５】
このため、駆動装置や回転軸は重量のある枠体を支えながら回動する必要があり、また、枠体のふらつきによる転倒を防止する必要があるため、回転軸や駆動装置、それらを収納するベースの形状が大きくなっていた。また、枠体全体を駆動するため駆動力の大きいモータが必要であり、電気ストーブを使用する際の設置スペースや、騒音や振動が大きくなる課題があった。
【課題を解決するための手段】
【０００６】
この発明は上記課題を解決するもので、前面に開口部１ａを有する枠体１内に、縦長のヒータ２と、該ヒータ２の前方を開口しながらヒータ２の側部と背部に位置する湾曲状の反射板３とを設け、前記枠体１の下部にはベース４を備え、このベース４によって前記枠体１を床面から立たせて前記枠体１の前面開口部１ａから前記ヒータ２の熱線を放射する電気ストーブにおいて、前記枠体１内には前記反射板３の固定部材５を設け、その固定部材５は縦長の支持枠５ａの上下に一対の回転軸部６を設けた構成とし、該支持枠５ａは前記反射板３の背部に位置して前記反射板３の全体を保持すると共に、前記回転軸部６が前記枠体１内の軸孔７に嵌合して、前記回転軸部６を中心に回動可能に取り付けられており、前記固定部材５を介して前記枠体１内に取り付けられた前記反射板３が前記固定部材５と一緒に回動し、前記枠体１内の前記反射板３の開口の向く方向が可変することを特徴とするものである。
【０００７】
また、前面に開口部１ａを有する枠体１内に、縦長のヒータ２と、該ヒータ２の前方を開口しながらヒータ２の側部と背部に位置する湾曲状の反射板３とを設け、前記枠体１の下部にはベース４を備え、このベース４によって前記枠体１を床面から立たせて前記枠体１の前面開口部１ａから前記ヒータ２の熱線を放射する電気ストーブにおいて、前記枠体１内には前記ヒータ２と前記反射板３とを一体に固定する固定部材５を設け、その固定部材５は縦長の支持枠５ａの上下に一対の回転軸部６を設けた構成とし、該支持枠５ａは前記反射板３の背部に位置して前記反射板３の全体を保持すると共に、前記回転軸部６が前記枠体１内の軸孔７に嵌合して、前記回転軸部６を中心に回動可能に取り付けられており、前記固定部材５を介して前記枠体１内に取り付けられた前記ヒータ２と前記反射板３が前記固定部材５と一緒に回動し、前記枠体１内の前記ヒータ２と前記反射板３の開口の向く方向が可変することを特徴とするものである。
【０００８】
また、前記回転軸部６は前記ヒータ２から所定距離Ｌを離した位置に設け、ヒータ２が回転軸部６からの距離Ｌを回転半径とする円周上を移動することにより、前記固定部材５が回転軸部６を中心に回動するときは、ヒータ２の位置が変化しながら反射板３の開口の向く方向が可変する。
【０００９】
また、前記固定部材５は、前記支持枠５ａの両側部から前記反射板３の側端に届く遮熱板５ｃを形成し、前記固定部材５が前記反射板３の熱気を遮る遮熱部材として機能することにより、枠体１内の温度上昇を抑制することができる。
【発明の効果】
【００１０】
この発明は、枠体１内に回転軸部６によって回動可能に取り付けた固定部材５を備え、枠体１の前面開口部１ａに配置される反射板３を固定部材５に固定したものであり、固定部材５と固定部材５に取り付けた反射板３が回転軸部６を中心に回動することで、枠体１内の反射板３の開口の向く方向が可変するから、枠体１の斜め前方の広範囲にヒータ２の熱線が放射できるものとなった。
【００１１】
また、枠体１の前面開口部１ａに配置されるヒータ２と反射板３を固定部材５に固定したときは、固定部材５と固定部材５に取り付けたヒータ２と反射板３が回転軸部６を中心に回動することで、枠体１内のヒータ２と反射板３の開口の向く方向が可変するから、枠体１の斜め前方の広範囲にヒータ２の熱線が放射できるものとなった。
【００１２】
上記のように、枠体１の前面開口部１ａが正面を向いたまま枠体１前方の広範囲を暖房することができるから、枠体１全体を回転させる必要がなくなり、枠体１をベース４に固定することができ、枠体１のふらつきがない安定した構造の製品が実現できるものとなった。また、枠体１全体を回動させるときのような大きな駆動力は不要となり、構成部品の小型化により製品のコンパクト化や軽量化を図ることができると共に、騒音や振動の低減が実現できるものとなった。
【００１３】
また、ヒータ２と反射板３を固定部材５に固定するときは、固定部材５の回転中心となる回転軸部６をヒータ２の取り付け位置から所定距離Ｌ離れた位置に設定することで、ヒータ２が回転軸部６からの距離Ｌを回転半径とする円周上を移動するので、ヒータ２の位置が変化しながら反射板３の開口の向く方向が可変するものとなり、光の揺らぎによる視覚的な効果を与えることができるものとなった。
【００１４】
また、固定部材５を上下に一対の回転軸部６を備えた縦長の支持枠５ａによって構成し、支持枠５ａを反射板３の背部に配置して支持枠５ａに遮熱部材の機能を持たせたから、支持枠５ａによって反射板３から枠体１内への放熱を遮って枠体１内の温度上昇を抑制することができるものとなった。
また、支持枠５ａが反射板３の全体を保持するので、支持枠５ａは反射板３の補強部材としても機能するものであり、反射板３の変形が起こりくい構造にすることができたものである。
【発明を実施するための最良の形態】
【００１５】
図に示す実施例によってこの発明を説明すると、１は電気ストーブの枠体、１ａは枠体１の前面に設けた開口部、２は枠体１内に取り付けたヒータ、３はヒータ２の前方を開口しながらヒータ２の背部と側部を湾曲状に囲むように配置した反射板、３ａは反射板３の上部に取り付けた上反射板、３ｂは反射板３の下部に取り付けた底反射板、４は枠体１の底面に取り付けたベースであり、ベース４によって枠体１を床面から立たせている。
【００１６】
８は枠体１の上部に設けた運転スイッチであり、運転スイッチ８によって運転開始信号が入力されるとヒータ２に通電を開始し、ヒータ２が加熱されて全体が高温になり、枠体１前面の開口部１ａから前方に向かって熱線が放射される。
【００１７】
５は枠体１内に設けた反射板３の固定部材、６は固定部材５に設けた回転軸部、７は枠体１内に設けた回転軸部６の軸孔であり、固定部材５は回転軸部６が軸孔７に嵌合して枠体１内に回動可能に取り付けられており、反射板３と上反射板３ａと底反射板３ｂが固定部材５に取り付けられて一体に構成されている。
９は枠体１内の固定部材５の上部と下部に位置するヒータ固定部、９ａはヒータ固定部９に取り付ける固定片であり、ヒータ２の上部と下部がヒータ固定部９と固定片９ａによって挟着されてヒータ２を固定している。
【００１８】
１０は固定部材５を駆動する駆動手段、１０ａは駆動手段１０のモータ、１０ｂはモータ１０ａによって駆動する偏心カム、１１は駆動手段１０と連結する固定部材５に設けた駆動アーム、１１ａは駆動アーム１１に設けた駆動孔であり、駆動アーム１１の駆動孔１１ａと固定部材５との間に前記回転軸部６が形成されている。
駆動アーム１１の駆動孔１１ａに偏心カム１０ｂが嵌合し、モータ１０ａによって偏心カム１０ｂが回動すると、偏心カム１０ｂが駆動孔１１ａを介して駆動アーム１１を駆動し、駆動アーム１１と固定部材５が回転軸部６を中心に左右に揺動する。
【００１９】
反射板３を取り付けた固定部材５が回転軸部６を中心に回動することで、枠体１内で反射板３の開口の向く方向が左右に可変するものであり、枠体１の前面開口部１ａが正面を向いたまま、枠体１の前面開口部１ａから放射される熱線の方向を変えて、枠体１の斜め前方にも熱線が届くものとなり、広範囲を暖房することができるものである。
【００２０】
また、この発明の他の実施例において、５ａは枠体１内に縦長に配置される固定部材５の支持枠、５ｂは支持枠５ａの上下の両端に形成した折り曲げ片であり、支持枠５ａの上下の折り曲げ片５ｂに前記回転軸部６を配置しており、支持枠５ａの上下に設けた回転軸部６が枠体１内の軸孔７に嵌合して枠体１内に回動可能に取り付けられ、下部の折り曲げ片５ｂが駆動手段１０と連結する駆動アーム１１を構成している。反射板３を支持枠５ａの前面に取り付けており、支持枠５ａの反射板３の取り付け面と折り曲げ片５ｂとの間に前記ヒータ固定部９を備えており、ヒータ２と反射板３が固定部材５の支持枠５ａに一体に取り付けられている。
【００２１】
この実施例では、ヒータ２と反射板３を取り付けた固定部材５が回転軸部６を中心に回動することで、枠体１内でヒータ２と反射板３の開口の向く方向が左右に可変するものであり、枠体１の前面開口部１ａが正面を向いたまま、枠体１の前面開口部１ａから放射される熱線の方向を変えて、枠体１の斜め前方にも熱線が届くようになり、広範囲を暖房することができるものである。
【００２２】
この発明は従来のように枠体１全体が回動する構造ではなく、ヒータ２と反射板３が枠体１内で回動する構造であるから、枠体１はベース４に固定することができ、ヒータ２や反射板３が回動するときに枠体１のふらつきはなくなり、安定した状態で使用できるものとなった。また、ヒータ２や反射板３を駆動するときに駆動力の大きいモータは不要となり、モータの駆動による騒音や振動が低減できると共に、回転軸部や駆動手段の小型化が可能となり、枠体のコンパクト化や軽量化が可能となる。
【００２３】
また、ヒータ２と反射板３を固定部材５に取り付けたときに、固定部材５の回転中心となる回転軸部６の位置をヒータ２の取り付け位置から所定距離Ｌを離れた位置となるように設定している。図３の実施例では、固定部材５の回転軸部６を円板形状の上反射板３ａと底反射板３ｂの中心位置に配置しており、ヒータ２は上反射板３ａと底反射板３ｂの中心位置から距離Ｌだけ反射板３側に位置するように設置している。
【００２４】
このため、固定部材５が回転軸部６を中心に回動すると、ヒータ２は回転軸部６からの距離Ｌを回転半径とする円周上を移動するから、ヒータ２が左右に移動しながら反射板３の開口の向く方向が可変するものであり、ヒータ２の光が揺らいで見えるようになり、視覚的な効果を得ることができる。
【００２５】
図３において、５ｃは固定部材５の支持枠５ａの両側部を広げて構成した遮熱板であり、遮熱板５ｃは反射板３の側端に届く長さで反射板３の形状に沿って折り曲げもしくは湾曲させた形状にして、支持枠５ａと遮熱板５ｃが反射板３の背部を囲むように配置している。このため、固定部材５の支持枠５ａと遮熱板５ｃに遮熱部材の機能を持たせることができ、反射板３の熱を支持枠５ａと遮熱板５ｃで遮ることで、枠体１内の温度上昇を抑制することができた。
また、固定部材５を支持枠５ａで構成したときは、支持枠５ａによって反射板３の全体を保持するから、支持枠５ａが反射板３の補強部材としても構成でき、反射板３の変形が起こりにくい構造となった。
【図面の簡単な説明】
【００２６】
【図１】この発明の実施例を示す電気ストーブの縦断面図である。
【図２】この発明の実施例を示す電気ストーブの要部断面図である。
【図３】この発明の実施例を示す電気ストーブの横断面図である。
【図４】この発明の実施例を示す電気ストーブの動作状態を説明する横断面図である。
【符号の説明】
【００２７】
１    枠体
１ａ  開口部
２    ヒータ
３    反射板
４    ベース
５    固定部材
５ａ  支持枠
６    回転軸部
Ｌ    距離
【図１】
0005574285.tif 000002
【図２】
0005574285.tif 000003
【図３】
0005574285.tif 000004
【図４】
0005574285.tif 000005